(57)【特許請求の範囲】
【請求項１】
有線通信と無線通信とで通信が可能であるとともに、その少なくともいずれかを用いて制御装置と通信する通信装置であって、
有線通信が切断状態から接続状態となったことを検出する検出手段と、
前記接続状態の検出に応じて、前記無線通信のパラメータを変更するための要求を、前記制御装置へ送信する送信手段と、
変更されたパラメータに関する通知を前記制御装置から受信する受信手段と、
前記通知を受信したことに応じて、前記変更されたパラメータに基づいて、前記通信装置における前記無線通信のパラメータを更新する更新手段と、
を有し、
前記パラメータは、使用周波数帯域、使用周波数帯域幅、ガードインターバル長の少なくともいずれかである、
ことを特徴とする通信装置。
【請求項２】
前記無線通信でデータを送信する際の送信速度を測定する測定手段をさらに有し、
前記送信手段は、第１の時点での送信速度を、前記第１の時点より前の第２の時点での送信速度から減じた速度差が所定値以上である場合、前記接続状態の検出に応じて前記要求を前記制御装置へ送信する、
ことを特徴とする請求項１に記載の通信装置。
【請求項３】
前記第１の時点での送信速度および前記第２の時点での送信速度は、前記第１の時点と前記第２の時点とをそれぞれ含む所定期間における平均送信速度である、
ことを特徴とする請求項２に記載の通信装置。
【請求項４】
前記通信装置の周囲に存在する無線通信装置を検知する検知手段をさらに有し、
前記送信手段は、第１の時点での検知結果における前記無線通信装置の数が、前記第１の時点より前の第２の時点での検知結果における前記無線通信装置の数と比べて、所定数以上増加した場合、前記接続状態の検出に応じて前記要求を前記制御装置へ送信する、
ことを特徴とする請求項１に記載の通信装置。
【請求項５】
前記無線通信でデータを送信した時刻を記録する記録手段をさらに有し、
前記送信手段は、データを送信した時刻と、その前のデータを送信した時刻との時間間隔が所定値以上である場合、前記接続状態の検出に応じて前記要求を前記制御装置へ送信する、
ことを特徴とする請求項１に記載の通信装置。
【請求項６】
前記パラメータの変更の可否を確認する確認手段をさらに有し、
前記送信手段は、前記パラメータの変更が可能でない場合は、前記要求を送信しない、
ことを特徴とする請求項１から５のいずれか１項に記載の通信装置。
【請求項７】
前記通信装置の電源が投入された時に前記有線通信が切断状態にあった場合に、前記パラメータの変更が可能と決定する決定手段をさらに有する、
ことを特徴とする請求項６に記載の通信装置。
【請求項８】
前記送信手段は、前記制御装置へ前記パラメータの変更の可否を問い合わせる信号を送信し、
前記受信手段は、前記制御装置から前記問い合わせへの応答を受信し、
前記確認手段は、前記応答により、前記パラメータの変更の可否を確認する、
ことを特徴とする請求項６に記載の通信装置。
【請求項９】
前記接続状態の検出に応じて、前記無線通信を切断し、前記有線通信で通信を行うことを特徴とする請求項１から８のいずれか１項に記載の通信装置。
【請求項１０】
前記パラメータの変更が成功したかを判定する判定手段をさらに有し、
前記接続状態を検出した場合であって、前記パラメータの変更が成功した場合に、前記無線通信を切断する、ことを特徴とする請求項９に記載の通信装置。
【請求項１１】
前記送信手段による前記要求の送信は、前記有線通信によって行われることを特徴とする請求項１から１０のいずれか１項に記載の通信装置。
【請求項１２】
前記制御装置と前記通信装置との間の前記無線通信は、当該無線通信のための無線ネットワークを構築するアクセスポイントを介して行われることを特徴とする請求項１から１１のいずれか１項に記載の通信装置。
【請求項１３】
前記制御装置は、前記通信装置との間で行われる前記無線通信のための無線ネットワークを構築するアクセスポイントであることを特徴とする請求項１から１１のいずれか１項に記載の通信装置。
【請求項１４】
制御装置と、有線通信と無線通信とで通信が可能であるとともに、その少なくともいずれかを用いて前記制御装置と通信を行う通信装置とを有する通信システムであって、
前記通信装置が、
有線通信が切断状態から接続状態となったことを検出する検出手段と、
前記接続状態の検出に応じて、前記無線通信のパラメータを変更するための要求を、前記制御装置へ送信する送信手段と、
変更されたパラメータに関する通知を前記制御装置から受信する受信手段と、
前記通知を受信したことに応じて、前記変更されたパラメータに基づいて、前記通信装置における前記無線通信のパラメータを更新する更新手段と、を有し、
前記制御装置が、
前記要求を受け付ける受付手段と、
前記要求に応じて、前記無線通信のパラメータを変更する変更手段と、
変更した後の前記無線通信のパラメータを前記通信装置へ通知する通知手段と、
を有し、
前記パラメータは、使用周波数帯域、使用周波数帯域幅、ガードインターバル長の少なくともいずれかである、
ことを特徴とする通信システム。
【請求項１５】
前記変更手段は、前記パラメータに関する複数の設定ファイルから、現時点で使用している設定ファイルと異なる設定ファイルを選択し、その選択した設定ファイルに応じて、前記パラメータを変更する、
ことを特徴とする請求項１４に記載の通信システム。
【請求項１６】
有線通信と無線通信とで通信が可能であるとともに、その少なくともいずれかを用いて制御装置と通信する通信装置における制御方法であって、
検出手段が、有線通信が切断状態から接続状態となったことを検出する検出工程と、
送信手段が、前記接続状態の検出に応じて、前記無線通信のパラメータを変更するための要求を、前記制御装置へ送信する送信工程と、
受信手段が、変更されたパラメータに関する通知を前記制御装置から受信する受信工程と、
更新手段が、前記通知を受信したことに応じて、前記変更されたパラメータに基づいて、前記通信装置における前記無線通信のパラメータを更新する更新工程と、
を有し、
前記パラメータは、使用周波数帯域、使用周波数帯域幅、ガードインターバル長の少なくともいずれかである、
ことを特徴とする制御方法。
【請求項１７】
制御装置と、有線通信と無線通信とで通信が可能であるとともに、その少なくともいずれかを用いて前記制御装置と通信を行う通信装置とを有する通信システムにおける制御方法であって、
前記通信装置の検出手段が、有線通信が切断状態から接続状態となったことを検出する検出工程と、
前記通信装置の送信手段が、前記接続状態の検出に応じて、前記無線通信のパラメータを変更するための要求を、前記制御装置へ送信する送信工程と、
前記制御装置の受付手段が、前記要求を受け付ける受付工程と、
前記制御装置の変更手段が、前記要求に応じて、前記無線通信のパラメータを変更する変更工程と、
前記制御装置の通知手段が、変更した後の前記無線通信のパラメータを前記通信装置へ通知する通知工程と、
前記通信装置の受信手段が、変更されたパラメータに関する通知を前記制御装置から受信する受信工程と、
前記通信装置の更新手段が、前記通知を受信したことに応じて、前記変更されたパラメータに基づいて、前記通信装置における前記無線通信のパラメータを更新する更新工程と、
を有し、
前記パラメータは、使用周波数帯域、使用周波数帯域幅、ガードインターバル長の少なくともいずれかである、
ことを特徴とする制御方法。
【請求項１８】
コンピュータを請求項１から１３のいずれか１項に記載の通信装置が備える各手段として機能させるためのプログラム。
【発明の詳細な説明】
【技術分野】
【０００１】
本発明は、有線通信と無線通信のいずれかを用いて通信を行う通信装置、通信システム、制御方法及びプログラムに関する。
【背景技術】
【０００２】
無線通信を行う相手方の基地局と、有線通信を行うためのケーブルとの検出処理を行い、その検出結果に基づいて、無線インターフェース（Ｉ／Ｆ）と有線Ｉ／Ｆとのいずれかを用いて通信する技術が知られている（例えば、特許文献１）。また、特許文献２には、ケーブルが接続されており、有線Ｉ／Ｆを用いての通信が可能な状態の場合、無線Ｉ／Ｆの使用を停止して、有線Ｉ／Ｆを用いて通信を行う技術が記載されている。また、特許文献３には、通信開始時または通信中に、無線Ｉ／Ｆと有線Ｉ／Ｆの少なくとも一方の通信品質に基づいて、無線Ｉ／Ｆと有線Ｉ／Ｆとから、通信に用いるインタフェースを選択して通信を実行する技術が記載されている。
【先行技術文献】
【特許文献】
【０００３】
【特許文献１】特開２００５−２６０４３４号公報
【特許文献２】特開２００８−１５４７２１号公報
【特許文献３】特開２００２−１１１６８６号公報
【発明の概要】
【発明が解決しようとする課題】
【０００４】
上述の技術を用いることで、無線Ｉ／Ｆを用いて通信している場合であって、電波状況に応じた通信品質の低下が予期される場合に、ケーブルを接続し、予備的に有線Ｉ／Ｆで通信するように、切り替えることができる。しかしながら、予備的に有線Ｉ／Ｆで通信した後、電波状況の改善による通信品質の向上が期待される条件下で、ユーザが意図的にケーブルを切断して通常の無線Ｉ／Ｆで通信するように切り替えた場合、結果として期待通りの通信品質が得られない場合があった。
【０００５】
本発明は上記課題に鑑みなされたものであり、無線通信を切断後に再接続する際に、通信品質が向上する確率を高めるための技術を提供することを目的とする。
【課題を解決するための手段】
【０００６】
上記目的を達成するため、本発明による通信装置は、有線通信と無線通信とで通信が可能であるとともに、その少なくともいずれかを用いて制御装置と通信する通信装置であって、有線通信が切断状態から接続状態となったことを検出する検出手段と、前記接続状態の検出に応じて、前記無線通信のパラメータを変更するための要求を、前記制御装置へ送信する送信手段と、変更されたパラメータに関する通知を前記制御装置から受信する受信手段と、前記通知を受信したことに応じて、前記変更されたパラメータに基づいて、前記通信装置における前記無線通信のパラメータを更新する更新手段と、を有し、前記パラメータは、使用周波数帯域、使用周波数帯域幅、ガードインターバル長の少なくともいずれかである、ことを特徴とする。
【発明の効果】
【０００７】
本発明によれば、無線通信で再接続した際に、所望の通信品質が得られる確率を向上させることができる。
【図面の簡単な説明】
【０００８】
【図１】デジタルＸ線診断システムの構成例を示す図。
【図２】Ｘ線デジタル撮影装置の構成例を示す図。
【図３】システム制御用ＰＣの構成例を示す図。
【図４】アクセスポイントの構成例を示す図。
【図５】Ｘ線発生装置の構成例を示す図。
【図６】Ｉ／Ｆ切替部の処理を示すフローチャート。
【図７】実施形態１のＸ線デジタル撮影装置における無線Ｉ／Ｆ再設定部の処理を示すフローチャート。
【図８】実施形態１のシステム制御用ＰＣにおける無線Ｉ／Ｆ再設定部の処理を示すフローチャート。
【図９】実施形態１のデジタルＸ線診断システムの動作を示すシーケンスチャート。
【図１０】実施形態２のＸ線デジタル撮影装置における無線Ｉ／Ｆ再設定部の処理を示すフローチャート。
【図１１】実施形態３のシステム制御用ＰＣにおける無線Ｉ／Ｆ再設定部の処理を示すフローチャート。
【図１２】実施形態４のＸ線デジタル撮影装置における無線Ｉ／Ｆ再設定部の処理を示すフローチャート。
【図１３】実施形態４のシステム制御用ＰＣにおける無線Ｉ／Ｆ再設定部の処理を示すフローチャート。
【発明を実施するための形態】
【０００９】
以下、添付図面を参照して本発明の実施の形態を詳細に説明する。
【００１０】
＜＜実施形態１＞＞
（通信システムの構成）
図１は、本実施形態の通信システムの構成例として、デジタルＸ線診断システムの構成例を示した図である。デジタルＸ線診断システムは、例えば、Ｘ線デジタル撮影装置１０１、システム制御用ＰＣ１０２、アクセスポイント１０３、Ｘ線発生装置１０４、及びケーブル１０５を含む。
【００１１】
Ｘ線デジタル撮影装置１０１は、Ｘ線を電気信号に変換して、診察用のデジタル画像データを生成する。システム制御用ＰＣ１０２は、Ｘ線デジタル撮影装置１０１、アクセスポイント１０３、及びＸ線発生装置１０４を制御する。なお、システム制御用ＰＣ１０２は、コンピュータとソフトウェアとを用いて実現されてもよいし、専用のハードウェアで実現されてもよい。アクセスポイント１０３は、無線Ｉ／Ｆを用いて、Ｘ線デジタル撮影装置１０１を収容して無線通信を行う無線通信装置である。Ｘ線発生装置１０４は、人体およびＸ線デジタル撮影装置１０１に向けて照射を行うように、Ｘ線を発生させる。ケーブル１０５は、有線Ｉ／Ｆを用いて装置間を接続する。なお、ケーブル１０５は、不図示のハブおよびルータなどの接続装置も含んでもよい。
【００１２】
Ｘ線デジタル撮影装置１０１、システム制御用ＰＣ１０２およびＸ線発生装置１０４は、それぞれが備える有線Ｉ／Ｆまたは無線Ｉ／Ｆを用いて、アクセスポイント１０３又はケーブル１０５を介して接続され、相互に通信を行う。すなわち、Ｘ線デジタル撮影装置１０１は、例えば、通信の相手方装置であるシステム制御用ＰＣ１０２と、アクセスポイント１０３を介した無線通信で、又は、ケーブル１０５に接続して有線通信で、通信する。以下では、まず、Ｘ線デジタル撮影装置１０１、システム制御用ＰＣ１０２、アクセスポイント１０３、及びＸ線発生装置１０４の機能構成について説明する。
【００１３】
（Ｘ線デジタル撮影装置の構成）
図２は、Ｘ線デジタル撮影装置１０１の構成例を示す図である。Ｘ線デジタル撮影装置１０１は、例えば、無線Ｉ／Ｆ部２０１、有線Ｉ／Ｆ部２０２、ケーブル検出部２０３、Ｉ／Ｆ切替部２０４、ＴＣＰ／ＩＰ処理部２０５、無線Ｉ／Ｆ再設定部２０６、及びＸ線デジタル撮影部２０７を備える。なお、「Ｉ／Ｆ」はインタフェースを表す。Ｘ線デジタル撮影装置１０１は、無線Ｉ／Ｆ部２０１と有線Ｉ／Ｆ部２０２のいずれかで通信を行い、システム制御用ＰＣ１０２からの撮影制御に応じて、Ｘ線発生装置１０４から受けたＸ線を検出して診察用の画像データの生成を行う。
【００１４】
無線Ｉ／Ｆ部２０１は、例えば、ＩＥＥＥ８０２.１１規格に対応した無線Ｉ／Ｆチップ、アンテナおよび制御プログラムを備えて構成され、無線通信のためのインタフェースを提供する。有線Ｉ／Ｆ部２０２は、例えば、ＩＥＥＥ８０２.３規格に対応した有線Ｉ／Ｆチップ、ケーブルコネクタおよび制御プログラムを備えて構成され、有線通信のためのインタフェースを提供する。
【００１５】
ケーブル検出部２０３は、有線Ｉ／Ｆ部２０２にケーブルが接続されたか又は切断されたかを検出して、Ｉ／Ｆ切替部２０４および無線Ｉ／Ｆ再設定部２０６などの各部に検出結果を通知する。なお、ケーブル検出部２０３は、例えば、ケーブルが接続されていない状態（切断状態）から接続された状態（接続状態）になった場合、又はその逆の場合に、状態が変化したことに応じて検出結果を通知し、それ以外の場合は検出結果の通知を行わなくてもよい。また、ケーブル検出部２０３は、定期的にケーブルが接続されているか否かを判定し、検出結果を出力するようにしてもよい。Ｉ／Ｆ切替部２０４は、ケーブル検出部２０３における検出結果に応じて、無線Ｉ／Ｆ部２０１と有線Ｉ／Ｆ部２０２のどちらを用いて通信するかを切り替えて設定する。Ｉ／Ｆ切替部２０４の処理の詳細については後述する。
【００１６】
ＴＣＰ／ＩＰ処理部２０５は、例えば、ＩＰ規格、ＴＣＰ規格およびＵＤＰ規格に対応した制御プログラムにより構成され、通信プロトコルを実行する。無線Ｉ／Ｆ再設定部２０６は、状況に応じて無線Ｉ／Ｆを再設定する機能部である。無線Ｉ／Ｆ再設定部２０６は、例えば、無線Ｉ／Ｆ再設定の要求をシステム制御用ＰＣ１０２へ送信し、システム制御用ＰＣ１０２から受信した情報に基づいて、無線Ｉ／Ｆ部２０１の設定の各種パラメータを更新する。ここで、無線Ｉ／Ｆ再設定の要求とは、すなわち、無線Ｉ／Ｆに関するパラメータの変更要求である。無線Ｉ／Ｆ再設定部２０６の処理の詳細についても後述する。Ｘ線デジタル撮影部２０７は、例えば、平面型検出器（ＦＰＤ）と制御プログラムとを備え、Ｘ線発生装置１０４からのＸ線の検出と電気信号への変換を実行して画像データを生成し、システム制御用ＰＣ１０２へ生成した画像データを送信する。
【００１７】
（システム制御用ＰＣの構成）
図３は、システム制御用ＰＣ１０２の構成を示している。システム制御用ＰＣ１０２は、例えば、有線Ｉ／Ｆ部３０１、ＴＣＰ／ＩＰ処理部３０２、無線Ｉ／Ｆ再設定部３０３、ＰＣ機能部３０４、及びデジタルＸ線診断システム制御部３０５を備える。システム制御用ＰＣ１０２は、有線Ｉ／Ｆ部３０１で通信を行い、Ｘ線デジタル撮影装置１０１およびＸ線発生装置１０４を制御して、診察用のデジタル画像データの取得を行う。
【００１８】
有線Ｉ／Ｆ部３０１は、例えば、ＩＥＥＥ８０２.３規格に対応した有線Ｉ／Ｆチップ、ケーブルコネクタおよび制御プログラムを備えて構成され、有線通信のためのインタフェースを提供する。ＴＣＰ／ＩＰ処理部３０２は、例えば、ＩＰ規格、ＴＣＰ規格およびＵＤＰ規格に対応した制御プログラムにより構成され、通信プロトコルを実行する。無線Ｉ／Ｆ再設定部３０３は、Ｘ線デジタル撮影装置１０１及びアクセスポイント１０３と通信を行い、無線通信の状況に応じて、後述するアクセスポイント１０３の無線Ｉ／Ｆ部４０１の設定を変更する。無線Ｉ／Ｆ再設定部３０３の処理の詳細については後述する。
【００１９】
ＰＣ機能部３０４は、例えば、演算回路、記憶回路、キーボード、マウス、ディスプレイおよびオペレーティングシステムを含んで構成され、ＰＣとしての機能を実行する部分である。デジタルＸ線診断システム制御部３０５は、例えば、制御プログラムを含んで構成され、Ｘ線デジタル撮影装置１０１及びＸ線発生装置１０４を制御して、診察用のデジタル画像データの取得を行う。
【００２０】
（アクセスポイントの構成）
図４は、アクセスポイント１０３の構成例を示す図である。アクセスポイント１０３は、例えば、無線Ｉ／Ｆ部４０１、有線Ｉ／Ｆ部４０２、アクセスポイント機能部４０３、ＴＣＰ／ＩＰ処理部４０４及び無線Ｉ／Ｆ設定部４０５を備える。アクセスポイント１０３は、無線Ｉ／Ｆ部４０１を用いてＸ線デジタル撮影装置１０１を収容し、Ｘ線デジタル撮影装置１０１とシステム制御用ＰＣ１０２とが、互いに通信を行うことができるようにする。
【００２１】
無線Ｉ／Ｆ部４０１は、例えば、ＩＥＥＥ８０２.１１規格に対応した無線Ｉ／Ｆチップ、アンテナおよび制御プログラムを備えて構成され、無線通信のためのインタフェースを提供する。有線Ｉ／Ｆ部４０２は、例えば、ＩＥＥＥ８０２.３規格に対応した有線Ｉ／Ｆチップ、ケーブルコネクタおよび制御プログラムを備えて構成され、有線通信のためのインタフェースを提供する。アクセスポイント機能部４０３は、例えば、スイッチ回路および制御プログラムを含んで構成され、無線Ｉ／Ｆ部４０１と有線Ｉ／Ｆ部４０２とのいずれかから受信したデータを、それぞれ他方に転送する。
【００２２】
ＴＣＰ／ＩＰ処理部４０４は、例えば、ＩＰ規格、ＴＣＰ規格およびＵＤＰ規格に対応した制御プログラムにより構成され、通信プロトコルを実行する。無線Ｉ／Ｆ設定部４０５は、例えば、ＨＴＴＰサーバ及び制御プログラムを含んで構成され、システム制御用ＰＣ１０２から無線Ｉ／Ｆ部４０１の設定を受け付け、自動チャネル選択や設定ファイルによる無線Ｉ／Ｆ部４０１のパラメータの設定を行う。
【００２３】
（Ｘ線発生装置１０４の構成）
図５は、Ｘ線発生装置１０４の構成例を示す図である。Ｘ線発生装置１０４は、例えば、有線Ｉ／Ｆ部５０１、ＴＣＰ／ＩＰ処理部５０２、及びＸ線発生部５０３を備える。Ｘ線発生装置１０４は、有線Ｉ／Ｆ部５０１を用いた通信を介してシステム制御用ＰＣ１０２からのＸ線発生制御を受け付け、その制御に応じてＸ線を発生させ、人体およびＸ線デジタル撮影装置１０１に向けてＸ線の照射を行う。
【００２４】
有線Ｉ／Ｆ部５０１は、例えば、ＩＥＥＥ８０２.３規格に対応した有線Ｉ／Ｆチップ、ケーブルコネクタおよび制御プログラムを備えて構成され、有線通信のためのインタフェースを提供する。ＴＣＰ／ＩＰ処理部５０２は、例えば、ＩＰ規格、ＴＣＰ規格およびＵＤＰ規格に対応した制御プログラムにより構成され、通信プロトコルを実行する。Ｘ線発生部５０３は、例えばＸ線管を含んで構成され、Ｘ線を発生させる。
【００２５】
（Ｉ／Ｆ切替部の動作）
図６は、Ｘ線デジタル撮影装置１０１のＩ／Ｆ切替部２０４の処理を示すフローチャートである。本処理は、例えば、ユーザがＸ線デジタル撮影装置１０１の電源を投入したことに応じて開始される。また、本処理は、Ｘ線デジタル撮影装置１０１がリセットされたことに応じて開始されてもよい。
【００２６】
処理が開始されると、Ｉ／Ｆ切替部２０４は、まず、ケーブル検出部２０３からの検出結果の通知を待ち受ける（Ｓ６０１）。ケーブル検出部２０３は、有線Ｉ／Ｆ部２０２にケーブルが接続されたか又は切断されたかを検出し、その検出結果をＩ／Ｆ切替部２０４へ通知する。なお、本説明では、ケーブル検出部２０３は、ケーブルが接続状態から切断状態となったか、又は切断状態から接続状態となったときに通知をするものとし、それ以外の通知は行わないものとする。ケーブル検出部２０３から検出結果が通知されると、Ｉ／Ｆ切替部２０４は、その検出結果に応じてケーブルが接続されたか否かを判定する（Ｓ６０２）。
【００２７】
ケーブルが接続されたと判定した場合（Ｓ６０２でＹｅｓ）は、Ｉ／Ｆ切替部２０４は、まず、無線Ｉ／Ｆでの通信に関してのＴＣＰ／ＩＰ処理部２０５の処理を停止する（Ｓ６０３）。続いて、Ｉ／Ｆ切替部２０４は、有線Ｉ／Ｆ部２０２の処理を起動し（Ｓ６０４）、有線Ｉ／Ｆでの通信に関してのＴＣＰ／ＩＰ処理部２０５の処理を起動する（Ｓ６０５）。これにより、有線Ｉ／Ｆ部２０２を介して有線通信を行うことができる状態となる。
【００２８】
次に、Ｉ／Ｆ切替部２０４は、有線Ｉ／Ｆ部２０２が起動した旨のＩ／Ｆ切替通知を、無線Ｉ／Ｆ再設定部２０６に通知する（Ｓ６０６）。次に、無線Ｉ／Ｆ再設定部２０６から、無線Ｉ／Ｆの再設定が完了した旨の通知を待ち受ける（Ｓ６０７）。そして、無線Ｉ／Ｆ再設定部２０６から無線Ｉ／Ｆ再設定が完了した旨が通知されると、Ｉ／Ｆ切替部２０４は無線Ｉ／Ｆ部２０１の処理を停止し（Ｓ６０８）、処理をＳ６０１へ戻す。この時点で、無線Ｉ／Ｆ部２０１の設定は更新され、次に無線接続するときには、その更新された設定で無線接続が行われるようになる。なお、無線Ｉ／Ｆ部２０１の停止（Ｓ６０８）に先だって、無線Ｉ／Ｆの設定の更新が成功したかを判定してもよい。また、この判定は、更新後の無線Ｉ／Ｆでテスト信号を送受信することにより行ってもよい。
【００２９】
なお、無線Ｉ／Ｆの再設定は、場合によっては不要であり、実行されない場合がある。この場合は、無線Ｉ／Ｆ再設定部２０６から、再設定が不要であった旨の通知を受信するか、待ち受けの開始から所定時間だけ経過した場合に再設定が行われないと判断して、処理をＳ６０８へ進めるようにしてもよい。また、無線Ｉ／Ｆ再設定部２０６が、再設定を不要と判定した場合であっても、再設定の完了通知を出力するようにしてもよい。
【００３０】
一方、Ｓ６０２において、ケーブルが抜かれ、有線接続が切断状態になったと判定された場合（Ｓ６０２でＮｏ）は、有線接続による通信を停止し、無線通信を開始（再開）する必要がある。このため、Ｉ／Ｆ切替部２０４は、まず、有線Ｉ／Ｆ部２０２での通信に関してのＴＣＰ／ＩＰ処理部２０５の処理を停止し（Ｓ６０９）、有線Ｉ／Ｆ部２０２の処理を停止する（Ｓ６１０）。続いて、Ｉ／Ｆ切替部２０４は、無線Ｉ／Ｆ部２０１の処理を起動し（Ｓ６１１）、無線Ｉ／Ｆ部２０１での通信に関してのＴＣＰ／ＩＰ処理部２０５の処理を起動する（Ｓ６１２）。このようにして、有線接続が切断された後は、無線Ｉ／Ｆ部２０１での通信を開始する。この場合、無線Ｉ／Ｆ部２０１では、無線Ｉ／Ｆ再設定部２０６により再設定が行われていた場合は、その再設定後の設定が用いられる。そして、Ｉ／Ｆ切替部２０４は、無線Ｉ／Ｆ再設定部２０６に、無線Ｉ／Ｆ部２０１が起動した旨のＩ／Ｆ切替通知を通知し（Ｓ６１３）、処理をＳ６０１へ戻す。
【００３１】
（Ｘ線デジタル撮影装置の無線Ｉ／Ｆ再設定部の動作）
図７は、Ｘ線デジタル撮影装置１０１における無線Ｉ／Ｆ再設定部２０６の処理を示すフローチャートである。本処理は、例えば、ユーザがＸ線デジタル撮影装置１０１の電源を投入したことに応じて開始される。また、本処理は、Ｘ線デジタル撮影装置１０１がリセットされたことに応じて開始されてもよい。
【００３２】
処理が開始されると、無線Ｉ／Ｆ再設定部２０６は、まず、システム制御用ＰＣ１０２からの撮影制御の要求、および、Ｉ／Ｆ切替部２０４からのＩ／Ｆ切替通知を待ち受ける（Ｓ７０１）。次に、無線Ｉ／Ｆ再設定部２０６は、通知を受け取ると、その通知がシステム制御用ＰＣ１０２からの撮影制御の要求の通知であるか否かを判断する（Ｓ７０２）。
【００３３】
受信した通知が撮影制御の要求の通知であった場合（Ｓ７０２でＹｅｓ）、無線Ｉ／Ｆ再設定部２０６は、Ｘ線デジタル撮影部２０７により、画像データの生成と、その画像データのシステム制御用ＰＣ１０２への送信が行われるのを待つ（Ｓ７０３）。このとき、無線Ｉ／Ｆ再設定部２０６は、画像データの送信にかかる待ち時間を計測する。無線Ｉ／Ｆ再設定部２０６は、Ｘ線デジタル撮影部２０７による画像データの送信が完了すると、計測した待ち時間と画像データのデータ量とから、単位時間当たりの送信速度を算出し、算出した送信速度を記録する（Ｓ７０４）。そして、処理をＳ７０１に戻す。なお、Ｓ７０４の送信速度の算出及び記録の処理は、有線通信を行っている場合は省略されてもよい。すなわち、有線Ｉ／Ｆ部２０２を起動した旨のＩ／Ｆ切替通知を受信してから、無線Ｉ／Ｆ部２０１を起動した旨のＩ／Ｆ切替通知を受信するまでの間は、撮影制御の要求の通知を受信した場合でも、送信速度を測定しなくてもよい。
【００３４】
一方、Ｓ７０２において、Ｉ／Ｆ切替部２０４からのＩ／Ｆ切替通知であった場合（Ｓ７０２でＮｏ）は、無線Ｉ／Ｆ再設定部２０６は、そのＩ／Ｆ切替通知が有線Ｉ／Ｆ部２０２を起動した旨のＩ／Ｆ切替通知であるか否かを判定する（Ｓ７０５）。受信した通知が有線Ｉ／Ｆ部２０２を起動した旨のＩ／Ｆ切替通知であった場合（Ｓ７０５でＹｅｓ）、無線Ｉ／Ｆ再設定部２０６は、送信速度が低下しているかどうかを判定するために記録された送信速度の解析を行う（Ｓ７０６）。具体的には、例えば、記録されている送信速度のうち２つの時点における記録、すなわち第１の時点の送信速度と、第１の時点より前の時点である第２の時点の送信速度に着目して解析を行う。この第１の時点と第２の時点は、記録がある最新の２つの時点であってもよい。このように、２つの時点の記録に着目し、第２の時点のデータの送信速度から第１の時点のデータの送信速度を減算する。そして、その算出結果として得られる速度差が所定値以上である場合は、送信速度が低下しているという解析結果を出力する。なお、ここで、ある時点での送信速度とは、その時点を含む所定期間の平均送信速度であってもよい。
【００３５】
そして、解析結果に基づいて、送信速度が低下しているか否かを判定する（Ｓ７０７）。送信速度が低下している場合（Ｓ７０７でＹｅｓ）、無線Ｉ／Ｆ再設定部２０６は、システム制御用ＰＣ１０２に無線Ｉ／Ｆ再設定要求を送信する（Ｓ７０８）。すなわち、次に無線接続したときに通信品質が改善する確率を高めるために、無線通信のパラメータを変更するための要求をシステム制御用ＰＣ１０２へ送信する。なお、このとき、無線Ｉ／Ｆ部２０１での通信は停止され、有線Ｉ／Ｆ部２０２で通信が行われているため、無線Ｉ／Ｆ再設定要求の送信は、有線Ｉ／Ｆ部２０２を介した有線通信で実行される。
【００３６】
そして、無線Ｉ／Ｆ再設定部２０６は、システム制御用ＰＣ１０２において無線Ｉ／Ｆ再設定が完了した後に送信される再設定された無線Ｉ／Ｆ設定情報の受信待ち状態となる（Ｓ７０９）。無線Ｉ／Ｆ設定情報については、システム制御用ＰＣ１０２における無線Ｉ／Ｆ再設定部３０３の処理の説明において詳述する。システム制御用ＰＣ１０２から無線Ｉ／Ｆ設定情報を受信すると、無線Ｉ／Ｆ再設定部２０６は、無線Ｉ／Ｆ設定情報に基づいて、無線Ｉ／Ｆ部２０１の設定を更新する（Ｓ７１０）。そして、無線Ｉ／Ｆ再設定部２０６は、Ｉ／Ｆ切替部２０４に、無線Ｉ／Ｆ再設定が完了した旨の通知を行い（Ｓ７１１）、処理をＳ７０１へ戻す。
【００３７】
一方、受信した通知が有線Ｉ／Ｆ部２０２を起動した旨のＩ／Ｆ切替通知でなかった場合（Ｓ７０５でＹｅｓ）、すなわち、無線Ｉ／Ｆ部２０１が起動した旨のＩ／Ｆ切替通知であった場合は、Ｓ７０６からＳ７１１の処理を行わず、処理をＳ７０１へ戻す。また、送信速度の解析の結果、送信速度が低下していなかった場合（Ｓ７０７でＮｏ）は、無線Ｉ／Ｆの再設定を行う必要がないため、処理をＳ７０１へ戻す。なお、送信速度が低下していなかった場合、無線Ｉ／Ｆの再設定を行う必要がなかった旨の通知と、実際に無線Ｉ／Ｆの再設定を実行していなくても処理が完了した通知とのいずれかを、システム制御用ＰＣ１０２に送信してもよい。
【００３８】
なお、上述の説明では、無線通信の送信速度の変化に応じて、無線Ｉ／Ｆの再設定の要否を判定するとしたが、これに限られない。例えば、Ｓ７０４において、Ｘ線デジタル撮影装置１０１の周囲に存在する無線通信装置を定期的に検知し、その検知結果により周囲に存在する無線通信装置の数を測定し、その数が所定数以上増加した場合は、無線Ｉ／Ｆの再設定が必要であると判定してもよい。すなわち、第１の時点での検知結果として得られる数から、第１の時点より前の第２の時点での検知結果として得られる数を減じた値が、所定数以上である場合は、無線Ｉ／Ｆの再設定が必要と判定してもよい。これは、周囲に存在する無線通信装置の数が増加すると、干渉が発生しやすい環境であると考えられるためである。また、無線通信装置として、特にアクセスポイントに着目し、周囲に存在するアクセスポイントを検知して、検知結果から得られるアクセスポイントの数の増減に応じて、無線Ｉ／Ｆの再設定の要否を判定してもよい。
【００３９】
さらに、、一定間隔で撮影を行う場合、撮影制御の要求の通知は、無線通信環境が劣化するほど遅れて届く確率が高まるため、前に撮影してから一定以上の時間が経過してからその通知が届く場合は、無線通信品質が劣化していると判定できる。このため、Ｓ７０４の送信速度を測定するのに代えて、撮影時刻を記録し、Ｓ７０７では、撮影間隔が所定時間より長く開いていた場合に、無線Ｉ／Ｆの再設定が必要であると判定してもよい。また、この場合、撮影間隔に応じて画像データを送信する時間間隔が決まる。このため、画像データの送信時刻を記録し、その送信時間間隔が所定値以上であった場合は、無線Ｉ／Ｆの再設定が必要であると判定してもよい。
【００４０】
（システム制御用ＰＣの無線Ｉ／Ｆ再設定部の動作）
図８は、システム制御用ＰＣ１０２における無線Ｉ／Ｆ再設定部３０３の処理を示すフローチャートである。本処理は、例えば、システム制御用ＰＣ１０２の電源を投入したことに応じて開始される。また、本処理は、システム制御用ＰＣ１０２がリセットされたことに応じて開始されてもよい。
【００４１】
処理が開始されると、無線Ｉ／Ｆ再設定部３０３は、まず、Ｘ線デジタル撮影装置１０１から無線Ｉ／Ｆ再設定要求を受信するのを待つ受付状態となる（Ｓ８０１）。Ｘ線デジタル撮影装置１０１から無線Ｉ／Ｆ再設定要求を受け付けると、無線Ｉ／Ｆ再設定部３０３は、アクセスポイント１０３と通信を行い、無線Ｉ／Ｆ設定部４０５の所定の設定方式に基づいて、無線Ｉ／Ｆ部４０１の設定を行う。すなわち、無線Ｉ／Ｆ部４０１のチャネル選択を自動で行う機能を有効化し（Ｓ８０２）、無線Ｉ／Ｆ部４０１の再起動を行う（Ｓ８０３）。そして、無線Ｉ／Ｆ再設定部３０３は、無線Ｉ／Ｆ部４０１が起動するのを待ち（Ｓ８０４）、無線Ｉ／Ｆ部４０１が起動すると、自動で選択された無線Ｉ／Ｆ部４０１のチャネル番号を取得する（Ｓ８０５）。その後、無線Ｉ／Ｆ再設定部３０３は、無線Ｉ／Ｆ部４０１のチャネル選択を自動で行う機能を無効化させる（Ｓ８０６）。
【００４２】
続いて、無線Ｉ／Ｆ再設定部３０３は、再設定された無線Ｉ／Ｆ設定情報として、取得したチャネル番号を、Ｘ線デジタル撮影装置１０１へ送信する（Ｓ８０７）。Ｘ線デジタル撮影装置１０１はチャネル番号を受信すると、アクセスポイント１０３に追従してこの新しいチャネル番号を用いるように、無線Ｉ／Ｆ部２０１の設定を更新する。そして、無線Ｉ／Ｆ再設定部３０３は、無線Ｉ／Ｆ再設定が行われた旨を表示するようにＰＣ機能部３０４へ通知し（Ｓ８０８）、処理をＳ８０１へ戻す。
【００４３】
なお、Ｓ８０７における無線Ｉ／Ｆ設定情報の通知は、有線通信によって実行されてもよいし、無線通信によって実行されてもよい。ただし、無線通信で行われる場合、アクセスポイント１０３とＸ線デジタル撮影装置１０１側とで、共通の無線Ｉ／Ｆを用いる必要があるが、この時点でアクセスポイント１０３側のパラメータのみが変更されている。このため、無線通信による通知は、例えば、予め定めた通知用のインタフェースを用いて実行される。そして、この場合、Ｘ線デジタル撮影装置１０１は、無線Ｉ／Ｆ再設定要求を送信後、この通知用のインタフェースを用いて無線Ｉ／Ｆ設定情報の受信待ちを行う。
【００４４】
なお、上述の説明では、変更するパラメータがチャネル（使用周波数帯域）である場合について述べたが、これに限られない。例えば、使用周波数帯域幅を変動させることにより、十分な通信品質を得ることができると考えられる場合は、変更するパラメータは使用周波数帯域幅であってもよい。また、この場合、ＯＦＤＭなどのマルチキャリア伝送が使用されている場合には、使用するキャリア数を変更するパラメータとしてもよい。また、例えば、遅延波の影響を受けることにより通信品質が劣化していると考えられる場合には、パラメータとしてガードインターバル長（ＧＩ長）を選択し、ＧＩ長を長くするように無線Ｉ／Ｆの再設定を行ってもよい。また、複数のパラメータについて同時に再設定を行ってもよい。
【００４５】
また、適切な設定内容を決定するために、Ｘ線デジタル撮影装置１０１は、通信品質の劣化要因を特定する機能を有していてもよい。例えば、伝送路の遅延プロファイルを取得する機能や、ＳＩＮＲを測定する機能を有していてもよい。これにより、様々な通信品質の劣化要因に対して、再接続時の無線通信品質が改善する確率を向上させることができる。
【００４６】
（デジタルＸ線診断システムの動作）
図９は、デジタルＸ線診断システムの動作例を示すシーケンスチャートである。本動作例では、初期的に、Ｘ線デジタル撮影装置１０１とシステム制御用ＰＣ１０２とが、無線通信を行っている場合の動作の一例について説明する。
【００４７】
まず、システム制御用ＰＣ１０２が、ユーザ操作に応じて、Ｘ線デジタル撮影装置１０１に撮影制御の要求を送信する（Ｓ９０１）。なお、この要求は、有線Ｉ／Ｆ部３０１を介してアクセスポイント１０３へ送信され、アクセスポイント１０３の無線Ｉ／Ｆ部４０１を介して無線信号としてＸ線デジタル撮影装置１０１へ送信される。
【００４８】
Ｘ線デジタル撮影装置１０１は、撮影制御の要求を受信すると、画像データを生成し、生成した画像データをシステム制御用ＰＣ１０２に送信し（Ｓ７０３）、このときの送信速度を記録する（Ｓ７０４）。なお、この画像データは、無線Ｉ／Ｆ部２０１を介して無線信号としてアクセスポイント１０３へ送信され、アクセスポイント１０３は、有線Ｉ／Ｆ部４０２を介して有線信号として、その画像データをシステム制御用ＰＣ１０２へ転送する。また、送信速度の測定は、画像データをアクセスポイント１０３へ送信するのに要した時間に基づいて行われるため、測定結果は、無線区間の送信速度に関するものとなる。
【００４９】
ここで、例えば、使用している無線チャネルに干渉する他の無線システムが現れ、その干渉によって、デジタルＸ線診断システムの無線通信による送信速度が低下する状況となったと仮定する。すなわち、Ｓ９０１に対する画像データの送信速度とＳ９０２に対する画像データの送信速度との速度差が所定値以上であり、図７のＳ７０７において送信速度の低下があったと判定されるものとする。
【００５０】
この状況において、システム制御用ＰＣ１０２が、再度のユーザ操作に応じて、Ｘ線デジタル撮影装置１０１に撮影制御の要求を送信する（Ｓ９０２）。そして、Ｘ線デジタル撮影装置１０１は、撮影制御の要求を受信すると、画像データを生成し、生成した画像データをシステム制御用ＰＣ１０２に送信し（Ｓ７０３）、このときの送信速度を記録する（Ｓ７０４）。
【００５１】
一方、この後に、ユーザが、例えば電波状況の変化による通信品質の劣化を感じて、有線Ｉ／Ｆ部２０２を介した通信を実行するために、Ｘ線デジタル撮影装置１０１にケーブルを接続したとする（Ｓ９０３）。この場合、Ｘ線デジタル撮影装置１０１のＩ／Ｆ切替部２０４は、ケーブルの接続を検出したことに応じて、有線通信を行うように、有線Ｉ／Ｆ部２０２を起動する（Ｓ６０４）。また、Ｘ線デジタル撮影装置１０１の無線Ｉ／Ｆ再設定部２０６は、無線Ｉ／Ｆ部２０１の送信速度を解析し、送信速度が低下していたかを判定する（Ｓ７０６、Ｓ７０７）。なお、ここでは、上述の通り、送信速度の低下があったと判定されるものとする。このため、Ｘ線デジタル撮影装置１０１の無線Ｉ／Ｆ再設定部２０６は、システム制御用ＰＣ１０２に無線Ｉ／Ｆ再設定要求を行う（Ｓ７０８）。なお、この要求は、有線Ｉ／Ｆ部２０２を介して有線通信で送信する。ただし、この時点で無線通信を必ず切断していなければならないわけではなく、無線通信がまだ維持されている場合は、無線通信によって要求の送信を行ってもよい。
【００５２】
システム制御用ＰＣ１０２の無線Ｉ／Ｆ再設定部２０６は、Ｘ線デジタル撮影装置１０１からの無線Ｉ／Ｆ再設定の要求を受信すると、アクセスポイント１０３にチャネル設定を再設定させる（Ｓ８０２〜Ｓ８０６）。さらに、システム制御用ＰＣ１０２の無線Ｉ／Ｆ再設定部２０６は、再設定されたチャネル番号を取得し、そのチャネル番号の情報を、有線通信によってＸ線デジタル撮影装置１０１に通知する（Ｓ８０７）。Ｘ線デジタル撮影装置１０１は、システム制御用ＰＣ１０２から再設定されたチャネル番号の情報を受信すると、無線Ｉ／Ｆ部２０１の設定をその新しいチャネル番号に更新し（Ｓ７１０）、無線Ｉ／Ｆ部２０１を停止する（Ｓ６０８）。
【００５３】
この後、例えば、ユーザが、電波状況の改善による通信品質の向上を期待して、Ｘ線デジタル撮影装置１０１からケーブルを切断し、無線Ｉ／Ｆ部２０１を介して無線通信を行うようにしたとする。この場合、本実施形態のデジタルＸ線診断システムでは、ユーザが、予備的に有線Ｉ／Ｆ部２０２で通信するよう切り替えている間に、アクセスポイント１０３のチャネル設定を再設定している。このため、例えば、干渉により電波状況が劣化していた場合は、他の無線システムから干渉を受けない新しいチャネルを用いて通信することとなり、電波状況が改善すると共に通信品質が向上する確率が向上する。
【００５４】
なお、本実施形態では、システム制御用ＰＣ１０２とアクセスポイント１０３とは別の装置として説明したが、これらは一体であってもよい。すなわち、システム制御用ＰＣ１０２が、Ｘ線デジタル撮影装置１０１と直接無線通信してもよい。また、システム制御用ＰＣ１０２は、アクセスポイント１０３の機能を有していてもよい。また、アクセスポイント１０３は、システム制御用ＰＣ１０２が有する無線通信のパラメータの設定に関する機能を全て有していてもよく、システム制御用ＰＣ１０２は、これ以外の機能を有することとしてもよい。
【００５５】
＜＜実施形態２＞＞
本実施形態では、初期的に有線通信を行っているか無線通信を行っているかに応じて、再設定を行うか否かを判定する。すなわち、通常時には有線通信を行う場合は、無線通信は一時的に実行できればよく、設定を度々更新する必要はない場合が多い。特に、アクセスポイント１０３を複数の機器で共有している場合は、設定が度々変更されることにより、接続不能となる機器が発生しうるため、設定の変更が行われる必要がない。このため、本実施形態においては、初期的に有線通信を行っているかに応じて、その後、再設定を行うか否かを決定する。具体的な動作について、図１０を用いて説明する。
【００５６】
図１０は、本実施形態のＸ線デジタル撮影装置１０１における無線Ｉ／Ｆ再設定部２０６の処理を示すフローチャートである。本処理は、例えば、Ｘ線デジタル撮影装置１０１の電源が投入されることにより開始される。
【００５７】
処理が開始されると、無線Ｉ／Ｆ再設定部２０６は、まず、ケーブル検出部２０３からの検出結果の通知を待ち受ける（Ｓ１００１）。無線Ｉ／Ｆ再設定部２０６は、ケーブル検出部２０３からの検出結果の通知を受信すると、ケーブルが接続されているか否かを判定する（Ｓ１００２）。そして、ケーブルが接続されていると判定した場合（Ｓ１００２でＹｅｓ）は、無線Ｉ／Ｆ再設定部２０６は、その後の処理において無線Ｉ／Ｆの再設定を行わないように、無線Ｉ／Ｆ再設定モードを無効と決定する（Ｓ１００３）。一方、ケーブルが接続されていないと判定した場合（Ｓ１００２でＮｏ）は、無線Ｉ／Ｆ再設定部２０６は、その後の処理において無線Ｉ／Ｆの再設定を行うように、無線Ｉ／Ｆ再設定モードを有効と決定する（Ｓ１００４）。なお、無線Ｉ／Ｆ再設定モードは、無線Ｉ／Ｆの再設定の可否を示すモードであり、有効であれば無線Ｉ／Ｆの再設定が可能であり、無効であれば無線Ｉ／Ｆは再設定されない。すなわち、以下の動作では、無線Ｉ／Ｆ再設定部２０６は、決定されたモードを確認することで、無線Ｉ／Ｆの再設定の可否を判定する。
【００５８】
そして、無線Ｉ／Ｆ再設定部２０６は、Ｉ／Ｆ切替部２０４からのＩ／Ｆ切替通知を待ち受ける（Ｓ１００５）。Ｉ／Ｆ切替部２０４からＩ／Ｆ切替通知が通知されると、無線Ｉ／Ｆ再設定部２０６は、有線Ｉ／Ｆ部２０２が起動した旨のＩ／Ｆ切替通知であるか否かを判断する（Ｓ１００６）。無線Ｉ／Ｆ再設定部２０６は、有線Ｉ／Ｆ部２０２が起動した旨のＩ／Ｆ切替通知であると判断した場合（Ｓ１００６でＹｅｓ）は、無線Ｉ／Ｆ再設定のモード設定が有効か否か、すなわち、無線Ｉ／Ｆ再設定が可能か否かを確認する（Ｓ１００７）。そして、無線Ｉ／Ｆ再設定モードが有効の場合（Ｓ１００７でＹｅｓ）は、無線Ｉ／Ｆ再設定部２０６は、処理をＳ１００８へ進める。Ｓ１００８からＳ１０１１までの処理は、図７のＳ７０８からＳ７１１までの処理と同様であるため、説明を省略する。
【００５９】
なお、Ｉ／Ｆ切替通知が無線Ｉ／Ｆ部２０１が起動した旨を示す場合（Ｓ１００６でＮｏ）、又は、無線Ｉ／Ｆ再設定のモード設定が有効でない場合（Ｓ１００７でＮｏ）は、無線Ｉ／Ｆ再設定部２０６は無線Ｉ／Ｆの再設定を行わず、処理をＳ１００５へ戻す。
【００６０】
本実施形態によれば、初期的に有線通信を行っている場合は、無線Ｉ／Ｆ再設定モードを無効とすることにより、主として有線通信を行うシステムに対しては、無線Ｉ／Ｆの設定の変更を行わないようにする。これによれば、不要な無線Ｉ／Ｆの再設定を実行することを防ぐことができる。また、無線Ｉ／Ｆが度々変更されることによって他の機器がアクセスポイント１０３へ接続できなくなるなどの事象が発生する確率を抑制することができる。
【００６１】
なお、本実施形態では、無線Ｉ／Ｆ再設定モードが有効の場合（Ｓ１００７でＹｅｓ）に直ちに無線Ｉ／Ｆの再設定を行うと説明したが、これに限られない。例えば、無線Ｉ／Ｆ再設定モードが有効であって、かつ、実施形態１と同様に、送信速度が低下した場合などに、無線Ｉ／Ｆの再設定を行うようにしてもよい。
【００６２】
また、上述の実施形態では、電源が投入されたときに有線通信が接続状態であるか否かで、無線Ｉ／Ｆ再設定モードを設定したが、これに限られない。例えば、Ｘ線デジタル撮影装置１０１において、有線通信を行った通算時間と、無線通信を行った通算時間とを比較し、その通算時間の長い方に応じて、モードが設定されてもよい。また、この通算時間は、重み付けされた通算時間であってもよく、現時点から近い時点での通信時間ほど、強く通算時間に反映されるようにしてもよい。
【００６３】
＜＜実施形態３＞＞
本実施形態では、システム制御用ＰＣ１０２は、無線Ｉ／Ｆの設定に関して、例えば通常時に用いる第１の設定ファイルと、第１の設定ファイルと使用周波数帯域が重ならない第２の設定ファイルとを記憶する。そして、無線Ｉ／Ｆ再設定部３０３は、アクセスポイント１０３の無線Ｉ／Ｆの設定が第１の設定ファイルに含まれる設定である場合に、無線Ｉ／Ｆの再設定の要求があった場合は、無線Ｉ／Ｆの設定を、第２の設定ファイルに含まれる設定となるようにする。また、無線Ｉ／Ｆ再設定部３０３は、アクセスポイント１０３の無線Ｉ／Ｆの設定が第２の設定ファイルに含まれる設定である場合に、無線Ｉ／Ｆの再設定の要求があった場合は、無線Ｉ／Ｆの設定を、第１の設定ファイルに含まれる設定となるようにする。以下、具体的な処理について、図１１を参照しながら説明する。
【００６４】
図１１は、本実施形態のシステム制御用ＰＣ１０２における無線Ｉ／Ｆ再設定部３０３の処理を示すフローチャートである。処理が開始されると、無線Ｉ／Ｆ再設定部３０３は、まず、Ｘ線デジタル撮影装置１０１からの無線Ｉ／Ｆ再設定要求を受け付ける受付状態となる（Ｓ１１０１）。そして、Ｘ線デジタル撮影装置１０１から無線Ｉ／Ｆ再設定要求が送信されると、無線Ｉ／Ｆ再設定部３０３は、アクセスポイント１０３と通信を行い、無線Ｉ／Ｆ部４０１の設定ファイルを取得する（Ｓ１１０２）。
【００６５】
次に、取得した設定ファイルと、システム制御用ＰＣ１０２が保持している設定ファイルとの比較を行う（Ｓ１１０３）。そして、取得した設定ファイルが、第１の設定ファイルと同じか否かを判定する（Ｓ１１０４）。アクセスポイント１０３の設定ファイルと第１の設定ファイルとが一致する場合（Ｓ１１０４でＹｅｓ）、無線Ｉ／Ｆ再設定部３０３は、アクセスポイント１０３と通信し、無線Ｉ／Ｆ部４０１を第２の設定ファイルで設定する（Ｓ１１０５）。
【００６６】
一方、アクセスポイント１０３の設定ファイルと第１の設定ファイルとが一致しない場合（Ｓ１１０４でＮｏ）、続いて、アクセスポイント１０３の設定ファイルが第２の設定ファイルと同じか否かを判定する（Ｓ１１１０）。アクセスポイント１０３の設定ファイルと第２の設定ファイルとが一致する場合（Ｓ１１１０でＹｅｓ）、無線Ｉ／Ｆ再設定部３０３は、アクセスポイント１０３と通信し、無線Ｉ／Ｆ部４０１を第１の設定ファイルで設定する（Ｓ１１１１）。一方、アクセスポイント１０３の設定ファイルと第２の設定ファイルとが一致しない場合（Ｓ１１１０でＮｏ）、ＰＣ機能部３０４に、無線Ｉ／Ｆ部４０１の設定が異常である旨を表示するよう通知する（Ｓ１１１２）。
【００６７】
次に、無線Ｉ／Ｆ再設定部３０３は、アクセスポイント１０３と通信を行って無線Ｉ／Ｆ部４０１の再起動を行い（Ｓ１１０６）、無線Ｉ／Ｆ部４０１が起動するのを待つ（Ｓ１１０７）。そして、無線Ｉ／Ｆ部４０１が起動すると、無線Ｉ／Ｆ再設定部３０３は、Ｘ線デジタル撮影装置１０１に、再設定された無線Ｉ／Ｆ設定情報として、再設定した設定ファイルを送信する（Ｓ１１０８）。Ｘ線デジタル撮影装置１０１は、設定ファイルを受信すると、アクセスポイント１０３に追従して、無線Ｉ／Ｆ部２０１の設定をこの新しい設定に変更して、設定を更新する。最後に、ＰＣ機能部３０４に、無線Ｉ／Ｆ再設定が行われた旨を表示するよう通知し（Ｓ１１０９）、Ｓ１１０１に戻る。
【００６８】
これにより、例えば、統計的に良好に無線通信可能な設定を第１及び第２の設定ファイルとしてそれぞれ保持しておくことにより、再設定の後に無線で再接続した場合に、十分に良好な通信品質を得ることができる確率を向上させることができる。なお、本実施形態では、第１の設定ファイルと第２の設定ファイルとを保持する、としたが、これに限られない。例えば、３つ以上の複数の設定ファイルを保持し、状況に応じて、現時点で使用している設定ファイル以外のいずれかの設定ファイルを選択して、選択した設定ファイルに応じて無線Ｉ／Ｆを変更してもよい。
【００６９】
＜＜実施形態４＞＞
本実施形態では、ユーザの設定に応じて、無線Ｉ／Ｆの再設定を行うか否かを予め決定しておくことにより、例えば、無線通信を優先して利用しているにも関わらず無線Ｉ／Ｆの再設定が行われなかったり、その逆の場合が発生することを防ぐものである。このため、本実施形態では、予め、有線通信と無線通信のどちらを優先して用いるかに応じて、無線Ｉ／Ｆ再設定モードを無効又は有効とし、システム制御用ＰＣ１０２が、それを記憶しておく。そして、Ｘ線デジタル撮影装置１０１は、その情報に基づいて、無線Ｉ／Ｆの再設定を実行するかを決定する。以下、具体的な動作について、図１２及び図１３を用いて説明する。
【００７０】
（Ｘ線デジタル撮影装置の無線Ｉ／Ｆ再設定部の動作）
図１２は、本実施形態のＸ線デジタル撮影装置１０１における無線Ｉ／Ｆ再設定部２０６の処理を示すフローチャートである。この処理は、例えば、ユーザがＸ線デジタル撮影装置１０１の電源を投入した場合に開始される。
【００７１】
処理が開始されると、まず、無線Ｉ／Ｆ再設定部２０６は、Ｉ／Ｆ切替部２０４からのＩ／Ｆ切替通知を待つ（Ｓ１２０１）。Ｉ／Ｆ切替部２０４からＩ／Ｆ切替通知が通知されると、無線Ｉ／Ｆ再設定部２０６は、そのＩ／Ｆ切替通知が有線Ｉ／Ｆ部２０２が起動した旨の通知であるか否かを判断する（Ｓ１２０２）。そして、有線Ｉ／Ｆ部２０２が起動した旨のＩ／Ｆ切替通知である場合（Ｓ１２０２でＹｅｓ）は、無線Ｉ／Ｆ再設定部２０６は、システム制御用ＰＣ１０２に、無線Ｉ／Ｆ再設定のモード設定を問い合わせる信号を送信する（Ｓ１２０３）。そして、無線Ｉ／Ｆ再設定部２０６は、システム制御用ＰＣ１０２からの応答の受信待ち状態となる（Ｓ１２０４）。
【００７２】
システム制御用ＰＣ１０２から、無線Ｉ／Ｆ再設定のモード設定の応答を受信すると、無線Ｉ／Ｆ再設定部２０６は、受信した無線Ｉ／Ｆ再設定のモード設定が有効か否かを確認する（Ｓ１２０５）。そして、受信した無線Ｉ／Ｆ再設定のモード設定が有効の場合は（Ｓ１２０５でＹｅｓ）、無線Ｉ／Ｆ再設定部２０６は処理をＳ１２０６へ進める。Ｓ１２０６からＳ１２０９までの処理は、図７のＳ７０８からＳ７１１までの処理と同様であるため、説明を省略する。
【００７３】
一方、受信したＩ／Ｆ切替通知が無線Ｉ／Ｆ部２０１が起動した旨の通知であった場合（Ｓ１２０２でＮｏ）、又は、受信した無線Ｉ／Ｆ再設定のモード設定が無効の場合（Ｓ１２０５でＮｏ）は、無線Ｉ／Ｆ再設定部２０６は処理をＳ１２０１へ戻す。
【００７４】
（システム制御用ＰＣの無線Ｉ／Ｆ再設定部の動作）
図１３は、本実施形態のシステム制御用ＰＣ１０２の無線Ｉ／Ｆ再設定部３０３の処理を示すフローチャートである。この処理は、例えば、ユーザがシステム制御用ＰＣ１０２の電源を投入した場合に開始される。なお、システム制御用ＰＣ１０２は、１つ以上のＸ線発生装置１０４のそれぞれのＩＤと、無線Ｉ／Ｆ再設定を有効にするか無効にするかのモード設定とを対応付けて記憶されたモード設定ファイルを保持しているものとする。
【００７５】
処理が開始されると、無線Ｉ／Ｆ再設定部３０３は、まず、Ｘ線デジタル撮影装置１０１から無線Ｉ／Ｆ再設定のモード設定の問い合わせを待ち受ける（Ｓ１３０１）。無線Ｉ／Ｆ再設定部３０３は、Ｘ線デジタル撮影装置１０１からの無線Ｉ／Ｆ再設定のモード設定の問い合わせを受信すると、Ｘ線発生装置１０４のＩＤを取得する（Ｓ１３０２）。なお、このＩＤは、例えば、Ｘ線発生装置１０４と通信を行うことにより取得される。続いて、無線Ｉ／Ｆ再設定部３０３は、取得したＩＤに対応する無線Ｉ／Ｆ再設定のモード設定を、保持しているモード設定ファイルから検索する（Ｓ１３０３）。そして、無線Ｉ／Ｆ再設定部３０３は、Ｘ線デジタル撮影装置１０１に、無線Ｉ／Ｆ再設定のモード設定の問い合わせへの応答として、検索されたモード設定を送信する（Ｓ１３０４）と共に、検索されたモード設定が有効か否かを判定する（Ｓ１３０５）。
【００７６】
そして、検索されたモード設定が有効の場合（Ｓ１３０５でＹｅｓ）は、無線Ｉ／Ｆ再設定部３０３は処理をＳ１３０６へ進める。なお、Ｓ１３０６からＳ１３１３までの処理は、図８のＳ８０１からＳ８０８までの処理と同様であるため、説明を省略する。また、Ｓ１３０５において、検索されたモード設定が有効でない場合（Ｓ１３０５でＮｏ）は、無線Ｉ／Ｆ再設定部３０３は処理をＳ１３０１へ戻す。
【００７７】
本実施形態によれば、予め無線Ｉ／Ｆ再設定を行うか否かをＸ線発生装置１０４ごとに記憶することにより、通常であれば有線通信を用いるＸ線発生装置１０４に対して、不要な無線Ｉ／Ｆの再設定を実行することを防ぐことができる。また、無線通信を優先して用いる場合には、無線Ｉ／Ｆの再設定を行うようにすることができる。さらに、ユーザの明示的な設定により、無線Ｉ／Ｆの再設定を行うか否かが決定されるため、ユーザの希望通りの動作をさせることが可能となる。
【００７８】
なお、上述の実施形態では、Ｘ線発生装置１０４と無線Ｉ／Ｆ再設定のモード設定とが対応づけられるとしたが、これに限られない。例えば、Ｘ線デジタル撮影装置１０１と無線Ｉ／Ｆ再設定のモード設定とを対応づけてもよい。この場合、システム制御用ＰＣ１０２がモード設定を変更する度にそのモードを１回だけ通知し、Ｘ線デジタル撮影装置１０１は、Ｓ１２０３及びＳ１２０４の処理を省略してもよい。
【００７９】
また、上述の実施形態では、システム制御用ＰＣ１０２が、予め、Ｘ線発生装置１０４と無線Ｉ／Ｆ再設定のモード設定とを対応づけて記憶するとしたがこれに限られない。例えば、Ｘ線デジタル撮影装置１０１からの問い合わせがあった場合に、ＰＣ機能部３０４がその旨をユーザに提示し、ユーザの入力に応じて、モード設定、すなわち、再設定の可否の情報をＸ線デジタル撮影装置１０１へ通知してもよい。
【００８０】
＜＜その他の実施形態＞＞
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
0005981734.tif 000002
【図２】
0005981734.tif 000003
【図３】
0005981734.tif 000004
【図４】
0005981734.tif 000005
【図５】
0005981734.tif 000006
【図６】
0005981734.tif 000007
【図７】
0005981734.tif 000008
【図８】
0005981734.tif 000009
【図９】
0005981734.tif 000010
【図１０】
0005981734.tif 000011
【図１１】
0005981734.tif 000012
【図１２】
0005981734.tif 000013
【図１３】
0005981734.tif 000014